(57)【要約】  プロジェクター（２）に映像信号を出力可能な情報処理装置（１）は、映像信号出力部（１ａ）と、格納部（１ｂ）と、設定指示出力部（１ｃ）と、を含む。映像信号出力部（１ａ）は、映像信号を出力する。格納部（１ｂ）は、プロジェクター（２）が映像信号出力部（１ｃ）から出力された映像信号に応じた映像を投写するための条件を格納する。設定指示出力部（１ｃ）は、プロジェクター（２）に格納部（１ｂ）内の条件に関する問合せを出力し、その問合せに対する応答に基づいて、プロジェクター（２）が格納部（１ｂ）内の条件を満たしているか否かを検出し、プロジェクター（２）が条件を満たしていない場合には、条件を満たす設定を行う旨の設定指示を出力する。
2010116446.tif 000002
【特許請求の範囲】
【請求項１】
プロジェクターに映像信号を出力可能な情報処理装置であって、
前記映像信号を出力する映像信号出力手段と、
前記プロジェクターが前記映像信号出力手段から出力された映像信号に応じた映像を投写するために必要な条件を格納する格納手段と、
前記プロジェクターに前記格納手段内の条件に関する問合せを出力し、当該問合せに対する応答に基づいて、前記プロジェクターが前記条件を満たしているか否かを検出し、前記プロジェクターが前記条件を満たしていない場合には、前記条件を満たすための設定を行う旨の設定指示を出力する設定指示出力手段と、を含む情報処理装置。
【請求項２】
前記設定指示出力手段は、
表示手段と、
前記プロジェクターが前記格納手段内の条件を満たしているか否かを検出し、前記プロジェクターが前記条件を満たしていない場合には、前記設定指示を前記表示手段に表示して出力するか、または、前記設定指示を前記プロジェクターに出力する制御手段と、を含む、請求の範囲第１項に記載の情報処理装置。
【請求項３】
プロジェクターに映像信号を出力可能な情報処理装置が行う作業支援方法であって、
前記プロジェクターが前記映像信号に応じた映像を投写するために必要な条件を格納手段に格納し、
前記プロジェクターに前記格納手段内の条件に関する問合せを出力し、当該問合せに対する応答に基づいて、前記プロジェクターが前記条件を満たしているか否かを検出し、
前記プロジェクターが前記条件を満たしていない場合には、前記条件を満たすための設定を行う旨の設定指示を出力する、作業支援方法。
【請求項４】
前記設定指示を出力することは、前記プロジェクターが前記条件を満たしていない場合には、前記設定指示を表示手段に表示して出力するか、または、前記設定指示を前記プロジェクターに出力することを含む、請求の範囲第３項に記載の作業支援方法。
【請求項５】
前記条件は、前記プロジェクターが有する入力端子のうち、前記映像信号を受け付けるために前記情報処理装置と接続された接続入力端子が、前記映像を形成するための映像信号を受け付ける選択入力端子として選択されていることを示す端子条件を含むものであり、
前記設定指示を出力することは、前記プロジェクターが前記端子条件を満たしていない場合には、前記接続入力端子を前記選択入力端子として選択するための設定を行う旨の端子設定指示を、前記設定指示として、前記プロジェクターに出力することを含む、請求の範囲第４項に記載の作業支援方法。
【請求項６】
前記条件は、前記プロジェクターが前記情報処理装置と接続され、かつ、前記プロジェクターのスタンバイ電源がオンとなっていることを示す接続条件を含むものであり、
前記設定指示を出力することは、前記プロジェクターが前記接続条件を満たしていない場合には、前記プロジェクターを前記情報処理装置と接続し、かつ、前記プロジェクターのスタンバイ電源をオンにするための設定を行う旨の接続設定指示を、前記設定指示として、前記表示手段に表示することを含む、請求の範囲第４項または第５項に記載の作業支援方法。
【請求項７】
前記条件は、前記プロジェクターが光を投写していることを示す投写条件を含むものであり、
前記設定指示を出力することは、前記プロジェクターが前記投写条件を満たしていない場合には、光を投写するための設定を行う旨の投写設定指示を、前記設定指示として、前記プロジェクターに出力することを含む、請求の範囲第４項から第６項のいずれか１項に記載の作業支援方法。
【請求項８】
前記条件は、前記選択入力端子が前記情報処理装置から前記映像信号を受け付けていることを示す映像信号条件を含むものであり、
前記設定指示を出力することは、前記プロジェクターが前記映像信号条件を満たしていない場合には、前記情報処理装置が前記映像信号を前記選択入力端子に出力する状態にする設定を行う旨の出力設定指示を、前記設定指示として、前記表示手段に表示することを含む、請求の範囲第５項に記載の作業支援方法。
【請求項９】
前記設定指示を出力することは、前記情報処理装置として用いることができるコンピュータの種別ごとに、当該コンピュータの種別名と、当該コンピュータが前記映像信号を前記選択入力端子に出力する状態に設定する手順を示した手順情報とを、前記出力設定指示として、前記表示手段に表示することを含む、請求の範囲第８項に記載の作業支援方法。
【請求項１０】
前記設定指示を出力することは、前記情報処理装置が前記映像信号を前記選択入力端子に出力する状態に設定する手順を示した手順情報を、前記出力設定指示として、前記表示手段に表示することを含む、請求の範囲第８項に記載の作業支援方法。
【請求項１１】
プロジェクターに映像信号を出力可能なコンピュータに、
前記プロジェクターが前記映像信号に応じた映像を投写するために必要な条件を格納手段に格納する格納手順と、
前記プロジェクターに前記格納手段内の条件に関する問合せを出力し、当該問合せに対する応答に基づいて、前記プロジェクターが前記格納手段内の条件を満たしているか否かを検出する検出手順と、
前記プロジェクターが前記条件を満たしていない場合には、前記条件を満たすための設定を行う旨の設定指示を出力する設定指示出力手順と、を実行させるためのプログラムを記録したコンピュータ読み取り可能な記録媒体。
【請求項１２】
前記設定指示出力手順は、前記プロジェクターが前記条件を満たしていない場合には、前記設定指示を表示手段に表示して出力するか、または、前記設定指示を前記プロジェクターに出力する制御手順を含む、請求の範囲第１１項に記載の記録媒体。
【請求項１３】
前記条件は、前記プロジェクターが有する入力端子のうち、前記映像信号を受け付けるために前記情報処理装置と接続された接続入力端子が、前記映像を形成するための映像信号を受け付ける選択入力端子として選択されていることを示す端子条件を含むものであり、
前記制御手順は、前記プロジェクターが前記端子条件を満たしていない場合には、前記接続入力端子を前記選択入力端子として選択するための設定を行う旨の端子設定指示を、前記設定指示として、前記プロジェクターに出力する手順を含む、請求の範囲第１２項に記載の記録媒体。
【請求項１４】
前記条件は、前記プロジェクターが前記情報処理装置と接続され、かつ、前記プロジェクターのスタンバイ電源がオンとなっていることを示す接続条件を含むものであり、
前記制御手順は、前記プロジェクターが前記接続条件を満たしていない場合には、前記プロジェクターを前記情報処理装置と接続し、かつ、前記プロジェクターのスタンバイ電源をオンにするための設定を行う旨の接続設定指示を、前記設定指示として、前記表示手段に表示する手順を含む、請求の範囲第１２項または第１３項に記載の記録媒体。
【請求項１５】
前記条件は、前記プロジェクターが光を投写していることを示す投写条件を含むものであり、
前記制御手順は、前記プロジェクターが前記投写条件を満たしていない場合には、光を投写するための設定を行う旨の投写設定指示を、前記設定指示として、前記プロジェクターに出力する手順を含む、請求の範囲第１２項から第１４項のいずれか１項に記載の記録媒体。
【請求項１６】
前記条件は、前記選択入力端子が前記情報処理装置から前記映像信号を受け付けていることを示す映像信号条件を含むものであり、
前記制御手順は、前記プロジェクターが前記映像信号条件を満たしていない場合には、前記情報処理装置が前記映像信号を前記選択入力端子に出力する状態にする設定を行う旨の出力設定指示を、前記設定指示として、前記表示手段に表示する手順を含む、請求の範囲第１３項に記載の記録媒体。
【請求項１７】
前記制御手順は、前記情報処理装置として用いることができるコンピュータの種別ごとに、当該コンピュータの種別名と、当該コンピュータが前記映像信号を前記選択入力端子に出力する状態に設定する手順を示した手順情報とを、前記出力設定指示として、前記表示手段に表示する手順を含む、請求の範囲第１６項に記載の記録媒体。
【請求項１８】
前記制御手順は、前記情報処理装置が前記映像信号を前記選択入力端子に出力する状態に設定する手順を示した手順情報を、前記出力設定指示として、前記表示手段に表示する手順を含む、請求の範囲第１６項に記載の記録媒体。
【発明の詳細な説明】
【技術分野】
【０００１】
本発明は、情報処理装置、作業支援方法および記録媒体に関する。
【背景技術】
【０００２】
特許文献１には、ユーザが映像の明るさおよび色純度を調節することを支援するプロジェクターが記載されている。【０００３】
このプロジェクターは、ユーザが投写準備作業を行うことによって、情報処理装置からの映像信号に応じた映像を投写できる状態に設定されると、映像調整用のメニュー画面を投写する。ユーザは、映像調整用のメニュー画面に基づいて、映像の明るさおよび色純度を調節する。【０００４】
ここで、投写準備作業について説明する。【０００５】
図１は、プロジェクター１０がノートパソコン１１の表示画面をスクリーン１２に投写するプロジェクターシステムを示したブロック図である。【０００６】
図１において、プロジェクター１０とノートパソコン１１とは、ＲＧＢケーブル１３で接続されている。プロジェクター１０は、ＲＧＢケーブル１３を通じてノートパソコン１１から映像信号を受け付け、その映像信号に応じた映像をスクリーン１２に投写する。【０００７】
ユーザは、プロジェクターシステムを用いてプレゼンテーションを開始する前に、ノートパソコン１１を立ち上げ、その後、投写準備作業を行う。【０００８】
投写準備作業では、第１の作業として、ユーザは、プロジェクター１０の電源ケーブル１４をコンセント１５に接続し、プロジェクター１０のスタンバイ電源をオンにする。【０００９】
続いて、第２の作業として、ユーザは、ノートパソコン１１の外部ディスプレイ端子１１ａとプロジェクター１０の入力端子１０ａとを、ＲＧＢケーブル１３で接続する。【００１０】
続いて、第３の作業として、ユーザは、プロジェクター１０の電源オンボタン１０ｂを操作して、プロジェクター１０の電源をオンして、プロジェクター１０の状態を、光を投写する投写状態にする。【００１１】
続いて、第４の作業として、プロジェクター１０の入力端子１０ａが複数ある場合、ユーザは、プロジェクター１０の入力端子切替ボタン１０ｃを操作して、第２の作業でＲＧＢケーブル１３が接続された入力端子１０ａを、映像入力用の選択入力端子として選択する。【００１２】
続いて、第５の作業として、ユーザは、ノートパソコン１１の表示画面を表す映像信号がノートパソコン１１の外部ディスプレイ端子１１ａから出力されるように、ノートパソコン１１の外部ディスプレイ出力ボタン１１ｂへの入力を行い、該入力内容に応じた映像がプロジェクター１０からスクリーン１２に投写される。
【特許文献１】特開２００７−１９４９５０号公報
【発明の開示】
【発明が解決しようとする課題】
【００１３】
ユーザは、特許文献１に記載のプロジェクターを使用する場合、上記第１から第５の作業からなる投写準備作業を行う必要がある。【００１４】
投写準備作業に詳しいユーザは、上記の各作業を一人で行うことができる。しかしながら、投写準備作業に詳しくないユーザにとっては、投写準備作業を一人で行うことが困難であるという課題があった。【００１５】
本発明の目的は、上述した課題を解決可能な、情報処理装置、作業支援方法および記録媒体を提供することである。
【課題を解決するための手段】
【００１６】
本発明による情報処理装置は、プロジェクターに映像信号を出力可能な情報処理装置であって、前記映像信号を出力する映像信号出力手段と、前記プロジェクターが前記映像信号出力手段から出力された映像信号に応じた映像を投写するために必要な条件を格納する格納手段と、前記プロジェクターに前記格納手段内の条件に関する問合せを出力し、当該問合せに対する応答に基づいて、前記プロジェクターが前記条件を満たしているか否かを検出し、前記プロジェクターが前記条件を満たしていない場合には、前記条件を満たすための設定を行う旨の設定指示を出力する設定指示出力手段と、を含む。【００１７】
本発明による作業支援方法は、プロジェクターに映像信号を出力可能な情報処理装置が行う作業支援方法であって、前記プロジェクターが前記映像信号に応じた映像を投写するために必要な条件を格納手段に格納し、前記プロジェクターに前記格納手段内の条件に関する問合せを出力し、当該問合せに対する応答に基づいて、前記プロジェクターが前記条件を満たしているか否かを検出し、前記プロジェクターが前記条件を満たしていない場合には、前記条件を満たすための設定を行う旨の設定指示を出力する。【００１８】
本発明による記録媒体は、プロジェクターに映像信号を出力可能なコンピュータに、前記プロジェクターが前記映像信号に応じた映像を投写するために必要な条件を格納手段に格納する格納手順と、前記プロジェクターに前記格納手段内の条件に関する問合せを出力し、当該問合せに対する応答に基づいて、前記プロジェクターが前記格納手段内の条件を満たしているか否かを検出する検出手順と、前記プロジェクターが前記条件を満たしていない場合には、前記条件を満たすための設定を行う旨の設定指示を出力する設定指示出力手順と、を実行させるためのプログラムを記録したコンピュータ読み取り可能な記録媒体である。
【発明の効果】
【００１９】
本発明によれば、投写準備作業に詳しくないユーザでも、投写準備作業を行うことを可能にできる。
【図面の簡単な説明】
【００２０】
【図１】プロジェクターシステムを示したブロック図である。
【図２】本発明の一実施形態の情報処理装置１とプロジェクター２を示したブロック図である。
【図３】投写準備作業の支援を行う処理を説明するためのフローチャートである。
【図４】投写準備作業の支援を行う処理を説明するためのフローチャートである。
【図５】投写準備作業の支援を行う処理を説明するためのフローチャートである。
【図６】投写準備作業の支援を行う処理を説明するためのフローチャートである。
【図７】メッセージボックス７１の一例を示した図である。
【図８】メッセージボックス８１の一例を示した図である。
【図９】メッセージボックス９１の一例を示した図である。
【図１０】メッセージボックス１０１の一例を示した図である。
【図１１】メッセージボックス１１１の一例を示した図である。
【図１２】アイコン１２０１の一例を示した図である。
【符号の説明】
【００２１】
１      情報処理装置
１ａ    映像信号出力部
１ｂ    格納部
１ｃ    設定指示出力部
１ｃ１  表示部
１ｃ２  制御部
１ｃ３  外部ディスプレイ端子
２      プロジェクター
２ａ１〜２ａｎ  入力端子
２ｂ    制御部
２ｃ    電源スイッチ
２ｄ    光源
２ｅ    液晶パネル
【発明を実施するための最良の形態】
【００２２】
図２は、本発明の一実施形態の情報処理装置１と、プロジェクター２と、を示したブロック図である。【００２３】
図２において、情報処理装置１は、例えばノートパソコンである。情報処理装置１は、プロジェクター２とＲＧＢケーブル３で接続されている。情報処理装置１は、プロジェクター２に映像信号を出力できる。情報処理装置１は、ノートパソコンに限らず、映像信号を出力可能な情報処理装置（例えば、コンピュータ）であればよい。プロジェクター２は、予め定められた条件（以下「映像投写条件」と称する）が満たされた場合に、情報処理装置１から出力された映像信号に応じた映像を投写する。【００２４】
情報処理装置１、プロジェクター２およびＲＧＢケーブル３は、通信規格であるDDC/CI（Display  Data  Channel  Command  Interface）に対応している。このため、情報処理装置１がプロジェクター２とＲＧＢケーブル３で接続されている状況では、情報処理装置１が映像信号をプロジェクター２へ出力することと、情報処理装置１とプロジェクター２の間で通信することが、同時に行える。なお、ＲＧＢケーブル３は、DDC/CIに対応するケーブルに限らない。例えば、映像信号をプロジェクター２へ出力するためのケーブルと、情報処理装置１とプロジェクター２の間での通信を行うためのケーブルとが、別々であってもよい。【００２５】
情報処理装置１は、映像信号出力部１ａと、格納部１ｂと、設定指示出力部１ｃと、を含む。設定指示出力部１ｃは、表示部１ｃ１と、制御部１ｃ２と、外部ディスプレイ端子１ｃ３と、を含む。【００２６】
映像信号出力部１ａは、一般的に映像信号出力手段と呼ぶことができる。映像信号出力部１ａは、映像信号を出力する。【００２７】
格納部１ｂは、一般的に格納手段と呼ぶことができる。格納部１ｂは、プロジェクター２が映像信号出力部１ａから出力された映像信号に応じた映像を投写するための必要な条件、つまり、映像投写条件を格納する。【００２８】
映像投写条件は、少なくとも、接続条件、投写条件、端子条件および映像信号条件のいずれかを含む。なお、本実施形態では、映像投写条件は、接続条件、投写条件、端子条件および映像信号条件を含む。【００２９】
接続条件は、プロジェクター２が情報処理装置１と接続され、かつ、プロジェクター２のスタンバイ電源がオンとなっていることを示す。【００３０】
投写条件は、プロジェクター２が光を投写していることを示す。【００３１】
端子条件は、プロジェクター２が有する入力端子２ａ１〜２ａｎのうち、映像信号出力部１ａから出力された映像信号を受け付けるために情報処理装置１と接続された入力端子（以下「接続入力端子」と称する）２ａ１が、映像を形成するための映像信号を受け付ける選択入力端子として選択されていることを示す。【００３２】
映像信号条件は、選択入力端子が情報処理装置１から映像信号を受け付けていることを示す。【００３３】
設定指示出力部１ｃは、一般的に設定指示出力手段と呼ぶことができる。設定指示出力部１ｃは、プロジェクター２が格納部１ｂ内の映像投写条件を満たしているか否かを検出する。設定指示出力部１ｃは、プロジェクター２が映像投写条件を満たしていない場合には、映像投写条件を満たす設定を行う旨の指示（以下「設定指示」と称する）を出力する。【００３４】
表示部１ｃ１は、一般的に表示手段と呼ぶことができる。表示部１ｃ１は、例えば、映像信号出力部１ａから出力された映像信号に応じた映像を表示する。また、表示部１ｃ１は、制御部１ｃ２によって制御される。【００３５】
制御部１ｃ２は、一般的に制御手段と呼ぶことができる。制御部１ｃ２は、プロジェクター２が格納部１ｂ内の映像投写条件を満たしているか否かを検出する。【００３６】
例えば、制御部１ｃ２は、プロジェクター２に映像投写条件に関する問合せを出力し、その問合せに対するプロジェクター２からの応答に基づいて、プロジェクター２が映像投写条件を満たしているか否かを検出する。【００３７】
制御部１ｃ２は、プロジェクター２が映像投写条件を満たしていない場合には、設定指示を表示部１ｃ１に表示して出力するか、または、設定指示をプロジェクター２に出力する。なお、プロジェクター２は、設定指示を受け付けると、その設定指示にて指示された設定を実行する。【００３８】
例えば、制御部１ｃ２は、プロジェクター２が接続条件を満たしていない場合には、プロジェクター２を情報処理装置１と接続し、かつ、プロジェクター２のスタンバイ電源をオンにするための設定を行う旨の接続設定指示を、設定指示として、表示部１ｃ１に表示する。【００３９】
また、制御部１ｃ２は、プロジェクター２が投写条件を満たしていない場合には、光を投写するための設定を行う旨の投写設定指示を、設定指示として、プロジェクター２に出力する。【００４０】
また、制御部１ｃ２は、プロジェクター２が端子条件を満たしていない場合には、接続入力端子を選択入力端子として選択するための設定を行う旨の端子設定指示を、設定指示として、プロジェクター２に出力する。【００４１】
また、制御部１ｃ２は、プロジェクター２が映像信号条件を満たしていない場合には、情報処理装置１が映像信号を選択入力端子に出力する状態にする設定を行う旨の出力設定指示を、設定指示として、表示部１ｃ１に表示する。【００４２】
例えば、制御部１ｃ２は、情報処理装置１として用いることができるコンピュータの種別（例えば、コンピュータのメーカ）ごとに、コンピュータの種別名（例えば、メーカ名）と、コンピュータが映像信号を選択入力端子に出力する状態にコンピュータを設定する手順を示した手順情報とを、出力設定指示として、表示部１ｃ１に表示する。【００４３】
なお、制御部１ｃ２は、情報処理装置１が映像信号を選択入力端子に出力する状態に情報処理装置１を設定する手順を示した手順情報を、出力設定指示として、表示部１ｃ１に表示してもよい。【００４４】
外部ディスプレイ端子１ｃ３は、DDC/CIに対応し、ＲＧＢケーブル３を介して、プロジェクター２の入力端子２ａ１〜２ａｎのいずれかと接続される。【００４５】
なお、本実施形態では、情報処理装置１は、映像信号出力部１ａ、格納部１ｂ、表示部１ｃ１および外部ディスプレイ端子１ｃ３を備えたコンピュータであり、このコンピュータが、コンピュータ読み取り可能な記録媒体に記録されたプログラム（以下「支援ソフトウェア」と称する）を読み取り実行することにより、制御部１ｃ２として機能する。なお、制御部１ｃ２は、専用のハードウェアにより実現されてもよい。【００４６】
コンピュータ読み取り可能な記録媒体は、例えば、フレキシブルディスク、光磁気ディスク、ＣＤ−ＲＯＭ（Compact  Disk  Read  Only  Memory）等の記録媒体、コンピュータに内蔵されるハードディスク装置等の記憶装置を指す。【００４７】
次に、動作を説明する。以下では、情報処理装置１としてノートパソコンが用いられるとする。【００４８】
まず、情報処理装置１のユーザ（例えば、発表者）は、プロジェクター２を使用したプレゼンテーションを開始する前に、支援ソフトウェアを情報処理装置１上で起動する。なお、情報処理装置１の立ち上げに伴い、支援ソフトウェアが自動的に起動するようにしてもよい。【００４９】
支援ソフトウェアの起動に伴って、制御部１ｃ２が動作を開始する。以下では、支援ソフトウェアの動作を、制御部１ｃ２の動作として説明する。制御部１ｃ２は、支援ソフトウェアの起動に伴って、以下に示す第１〜第６のステップに従って、投写準備作業の支援を行う。【００５０】
図３〜図６は、投写準備作業の支援を行う処理（第１〜第６のステップ）を説明するためのフローチャートである。以下、図３〜図６を参照して、第１〜第６のステップを説明する。【００５１】
第１のステップでは、制御部１ｃ２は、プロジェクター２が接続条件を満たしているか否かを検出する。本実施形態では、制御部１ｃ２は、情報処理装置１の外部ディスプレイ端子１ｃ３とプロジェクター２とがＲＧＢケーブル３で接続されているかどうか、および、プロジェクター２のスタンバイ電源がオンになっているかどうかを確認する。【００５２】
例えば、制御部１ｃ２は、接続条件に関する問合せ、例えば、プロジェクター２が情報処理装置１と接続され、かつ、プロジェクター２のスタンバイ電源がオンになっているか否かの問合せ（以下「接続問合せ」と称する）をプロジェクター２に出力し、その接続問合せに対してプロジェクター２から応答があるか否かを確認する（図３のＳＴ１）。【００５３】
なお、情報処理装置１の外部ディスプレイ端子１ｃ３とプロジェクター２とがＲＧＢケーブル３で接続されており、かつ、プロジェクター２のスタンバイ電源がオンになっている場合、プロジェクター２内の制御部２ｂは、制御部１ｃ２からの接続問合せに対して応答を行う。【００５４】
このため、制御部１ｃ２は、接続問合せに対して応答を受け付けた場合、プロジェクター２が接続条件を満たしていると判断する。一方、制御部１ｃ２は、接続問合せに対して応答を受け付けなかった場合、プロジェクター２が接続条件を満たしていないと判断する。【００５５】
プロジェクター２からの応答が確認できた場合は、制御部１ｃ２は、処理を第２のステップに進める。【００５６】
一方、プロジェクター２からの応答が確認できない場合は、制御部１ｃ２は、図７に示したメッセージボックス７１を、応答設定指示として、表示部１ｃ１に表示する（図３のＳＴ２）。【００５７】
メッセージボックス７１には、メッセージ７１ａと〔次へ〕ボタン７１ｂが配置される。メッセージ７１ａには、ノートパソコンの外部ディスプレイ端子とプロジェクターをＲＧＢケーブルで接続して、プロジェクターのスタンバイ電源をオンにして、〔次へ〕ボタンを押下するように指示するものと、その操作方法とが、表示される。【００５８】
ユーザは、例えば、メッセージ７１ａに従って、情報処理装置１とプロジェクター２のいずれかまたは両方を設定し、その後、〔次へ〕ボタン７１ｂを選択する。【００５９】
〔次へ〕ボタン７１ｂが選択されると、制御部１ｃ２は、処理をＳＴ１に戻して第１のステップを再度実行する（図３のＳＴ３）。なお、制御部１ｃ２の動作を強制終了するために、［終了］ボタン７１ｃをメッセージボックス７１内に配置しておくことが望ましい。この場合、［終了］ボタン７１ｃが選択されると、制御部１ｃ２は動作を終了する。【００６０】
第２のステップでは、制御部１ｃ２は、プロジェクター２が投写条件を満たしているか否かを検出する。プロジェクター２では、電源スイッチ２ｃがオンになると、光源２ｄが光を投写する。このため、本実施形態では、制御部１ｃ２は、プロジェクター２の電源がオン（投写状態）になっているかどうかを確認する（図３のＳＴ４）。【００６１】
例えば、制御部１ｃ２は、状態（投写条件）に関する問合せ（以下「状態問合せ」と称する）をプロジェクター２に出力し、その状態問合せに対するプロジェクター２からの応答を受け付ける。【００６２】
なお、プロジェクター２内の電源スイッチ２ｃがオンになっている場合、プロジェクター２内の制御部２ｂは、制御部１ｃ２からの状態問合せに対して、プロジェクター２の電源がオン（投写状態）になっていることを示す応答を行う。【００６３】
一方、プロジェクター２内の電源スイッチ２ｃがオフになっている場合、プロジェクター２内の制御部２ｂは、制御部１ｃ２からの状態問合せに対して、プロジェクター２の電源がオン（投写状態）になっていないことを示す応答を行う。【００６４】
状態問合せに対するプロジェクター２からの応答が、プロジェクター２の電源がオン（投写状態）になっていることを示す場合には、制御部１ｃ２は、プロジェクター２が投写条件を満たしていると判断する。【００６５】
制御部１ｃ２は、プロジェクター２が投写条件を満たしていると判断すると、処理を第３のステップに進める。【００６６】
一方、状態問合せに対するプロジェクター２からの応答が、プロジェクター２の電源がオン（投写状態）になっていることを示さない場合には、制御部１ｃ２は、プロジェクター２が投写条件を満たしていないと判断する。【００６７】
プロジェクター２が電源オン（投写状態）になっていない場合、制御部１ｃ２は、プロジェクター２に対して、電源をオン（投写状態）する旨の指示を、投写設定指示として出力する（図３のＳＴ５）。プロジェクター２内の制御部２ｂは、電源をオン（投写状態）する旨の指示を受け付けると、電源スイッチ２ｃをオンする。【００６８】
その後、制御部１ｃ２は、再度、プロジェクター２に状態問合せを出力し、プロジェクター２の電源がオン（投写状態）になっていることを示す応答を受け付けたら（図３のＳＴ６）、処理を第３のステップに進める。【００６９】
なお、状態問合せを出力してから、プロジェクター２の電源がオン（投写状態）になっていることを示す応答を受け付けるまでの時間が、予め定められた基準時間よりも長い場合、制御部１ｃ２は、図８に示したメッセージボックス８１を表示部１ｃ１に表示する。メッセージボックス８１には、プロジェクター２が電源オン（投写状態）に移行していることを示す文言が表示される。【００７０】
第３のステップでは、プロジェクター２の入力端子２ａが複数ある場合を考慮して、制御部１ｃ２は、プロジェクター２が端子条件を満たしているか否かを検出する。【００７１】
本実施形態では、制御部１ｃ２は、プロジェクター２の投写対象となる入力端子、つまり、映像を形成するための映像信号を受け付ける入力端子として設定された選択入力端子と、ＲＧＢケーブル３が接続されているプロジェクター２の接続入力端子とが一致しているかどうかを確認する（図４のＳＴ７）。なお、プロジェクター２内の制御部２ｂは、情報処理装置１からの問合せを受信した入力端子を、接続入力端子として判定する。【００７２】
例えば、制御部１ｃ２は、プロジェクター２に対して、接続入力端子と選択入力端子の問合せ（端子条件に関する問合せ）を行う。【００７３】
プロジェクター２内の制御部２ｂは、接続入力端子と選択入力端子の問合せを受け付けると、接続入力端子と選択入力端子とを示す応答を行う。【００７４】
接続入力端子と選択入力端子とを示す応答が同一の入力端子を示している場合、つまり、接続入力端子と選択入力端子の一致が確認できた場合は、制御部１ｃ２は、第４のステップに進む。【００７５】
接続入力端子と選択入力端子とを示す応答が同一の入力端子を示していない場合、つまり、接続入力端子と選択入力端子の一致が確認できない場合は、制御部１ｃ２は、プロジェクター２に対して、選択入力端子として接続入力端子を設定する旨の変更指示を、端子設定指示として出力する（図４のＳＴ８）。【００７６】
その後、制御部１ｃ２は、再度、プロジェクター２に接続入力端子と選択入力端子の問合せを出力し、接続入力端子および選択入力端子として同一の入力端子を示している応答を受け付けたら（図４のＳＴ９）、処理を第４のステップに進める。【００７７】
なお、接続入力端子と選択入力端子の状態問合せを出力してから、接続入力端子および選択入力端子として同一の入力端子を示している応答を受け付けるまでの時間が、予め定められた基準時間よりも長くなると、制御部１ｃ２は、図９に示したメッセージボックス９１を表示部１ｃ１に表示する。メッセージボックス９１には、プロジェクター２の選択入力端子の設定を変更していることを示す文言が表示される。【００７８】
第４のステップでは、制御部１ｃ２は、プロジェクター２が映像信号条件を満たしているか否かを検出する。本実施形態では、制御部１ｃ２は、ＲＧＢケーブル３の接続先である外部ディスプレイ端子１ｃ３から映像信号が出力されているかどうかを確認する（図４のＳＴ１０）。【００７９】
なお、プロジェクター２内の制御部２ｂは、第３のステップによってＲＧＢケーブル３の接続先として確定した選択入力端子に、映像信号が入力されているかどうかを確認可能である。【００８０】
制御部１ｃ２は、プロジェクター２に対して、選択入力端子に映像信号が入力されているかどうかを問い合わせる旨の映像信号問合せ（映像信号条件に関する問合せ）を行う。【００８１】
なお、選択入力端子に映像信号が入力されている場合、プロジェクター２内の制御部２ｂは、制御部１ｃ２からの映像信号問合せに対して、選択入力端子に映像信号が入力されていることを示す応答を行う。【００８２】
一方、選択入力端子に映像信号が入力されていない場合、プロジェクター２内の制御部２ｂは、制御部１ｃ２からの映像信号問合せに対して、選択入力端子に映像信号が入力されていないことを示す応答を行う。【００８３】
映像信号問合せに対するプロジェクター２からの応答が、選択入力端子に映像信号が入力されていることを示す場合には、制御部１ｃ２は、プロジェクター２が映像信号条件を満たしていると判断する。【００８４】
制御部１ｃ２は、プロジェクター２が映像信号条件を満たしていると判断すると、処理を第５のステップに進める。【００８５】
一方、映像信号問合せに対するプロジェクター２からの応答が、選択入力端子に映像信号が入力されていないことを示す場合には、制御部１ｃ２は、図１０に示したメッセージボックス１０１を、出力設定指示として、表示部１ｃ１に表示する（図４のＳＴ１１）。【００８６】
メッセージボックス１０１には、メッセージ１０１ａと〔次へ〕ボタン１０１ｂが配置される。メッセージ１０１ａには、ノートパソコンの外部ディスプレイ端子から映像信号を出力して、〔次へ〕ボタンを押下するように指示するものと、その操作方法（手順情報）とが、表示される。【００８７】
この操作方法については、情報処理装置１が、どのメーカによって製造されたのかによって異なるため、メーカごとに表示する。ただし、制御部１ｃ２が、情報処理装置１を製造したメーカを判別できた場合は、そのメーカに対応する操作方法のみを表示する。【００８８】
ユーザは、例えば、メッセージ１０１ａに従って、情報処理装置１を操作して、その後、〔次へ〕ボタン１０１ｂを選択する。【００８９】
〔次へ〕ボタン１０１ｂが選択されると、制御部１ｃ２は、処理をＳＴ１０に戻して第４のステップを再度実行する（図４のＳＴ１２）。なお、制御部１ｃ２の動作を強制終了するために、［終了］ボタン１０１ｃをメッセージボックス１０１に配置しておくことが望ましい。この場合、［終了］ボタン１０１ｃが選択されると、制御部１ｃ２は動作を終了する。【００９０】
この第４のステップについては、情報処理装置１の外部ディスプレイ端子１ｃ３から映像信号を出力する操作を、ユーザに実施してもらうまでもなく、制御部１ｃ２が実施できる場合、制御部１ｃ２は、メッセージボックス１０１を表示することなく、外部ディスプレイ端子１ｃ３から映像信号を出力させて、その後、処理を第５のステップに進んでもよい。【００９１】
プロジェクター２内の制御部２ｂは、選択入力端子に入力された映像信号に応じて液晶パネル２ｅを駆動する。液晶パネル２ｅは、光源２ｄからの光を、映像信号に応じて変調して、映像信号に応じた映像を生成する。液晶パネル２ｅにて生成された映像は、スクリーンに投写される。なお、光源２ｄからの光を映像信号に応じて変調する変調部は、液晶パネルに限らず適宜変更可能である。【００９２】
第５のステップでは、制御部１ｃ２は終了処理を行う。図５は、終了処理を説明するためのフローチャートである。【００９３】
制御部１ｃ２は、映像信号出力部１ａが出力した映像信号に応じた映像（表示部１ｃ１にも表示されている）が、プロジェクター２から投写されたことを確認できたため、制御部１ｃ２は、図１１に示すメッセージボックス１１１を表示部１ｃ１に表示する(図５のＳＴ１３)。【００９４】
メッセージボックス１１１には、メッセージ１１１ａと〔終了〕ボタン１１１ｂが配置される。メッセージ１１１ａには、ノートパソコンの画面がプロジェクターに投写されたことが確認できたため、〔終了〕ボタンを押下するように指示するものが表示される。【００９５】
〔終了〕ボタン１１１ｂが選択されると、制御部１ｃ２が動作を終了する（図５のＳＴ１４）。【００９６】
また、［終了］ボタン１１１ｂを［ＯＫ］ボタンに変更した場合の動作を説明するためのフローチャートを図６に示す。【００９７】
［終了］ボタン１１１ｂを［ＯＫ］ボタンに変更した場合は、［ＯＫ］ボタンが選択されると、制御部１ｃ２は、処理を第６のステップに進める（図６のＳＴ１５）。【００９８】
第６のステップでは、制御部１ｃ２は、プロジェクター２の選択入力端子に映像信号が入力されているかどうかを確認する（図６のＳＴ１６）。なお、この確認処理は、ＳＴ１０と同様である。【００９９】
プロジェクター２の選択入力端子に映像信号が入力されていることが確認できた場合は、制御部１ｃ２は、図１２に示すようなアイコン１２１を表示して（図６のＳＴ１７）、再度、第６のステップにすすむ（ＳＴ１８）。【０１００】
プロジェクター２の選択入力端子に映像信号が入力されていることが確認できない場合は、制御部１ｃ２は、処理を、第１のステップに進める。【０１０１】
また、制御部１ｃ２の動作を強制終了するために、図１２に示したアイコン１２１が選択されたときに、制御部１ｃ２は、［終了］ボタン１２１ａを表示するようにしてもよい。この場合、［終了］ボタン１２１ａが選択されると、制御部１ｃ２は動作を終了する。【０１０２】
本実施形態によれば、支援ソフトウェアを利用することにより、例えば、ユーザが、情報処理装置１の表示画面をスクリーンに投写しておく投写準備作業のやり方を知らなくても、簡単に、確実に、この作業を完了することができる。【０１０３】
よって、ユーザは、投写準備作業についての知識を持っていなくてもよく、また、投写準備作業によるユーザの負担を軽減することが可能になる。【０１０４】
例えば、情報処理装置１の表示画面と同じ映像が、プロジェクター２から投写されない場合、投写準備作業についての知識が乏しいユーザは、情報処理装置１に問題があるのか、情報処理装置１の操作（設定）に問題があるのか、プロジェクター２に問題があるのか、プロジェクター２の操作（設定）に問題があるのかの、切り分けを行うことが難しい。本実施形態によれば、この切り分けを容易にすることも可能である。【０１０５】
本実施形態では、設定指示出力部１ｃは、プロジェクター２に映像投写条件に関する問合せを出力し、映像投写条件に関する問合せに対する応答に基づいて、プロジェクター２が格納部１ｂ内の映像投写条件を満たしているか否かを検出し、プロジェクター２が映像投写条件を満たしていない場合には、映像投写条件を満たすための設定を行う旨の設定指示を出力する。【０１０６】
このため、設定指示出力部１ｃは、投写準備作業を支援でき、よって、投写準備作業によるユーザの負担を軽減することが可能になる。【０１０７】
本実施形態では、制御部１ｃ２は、プロジェクター２が映像投写条件を満たしていない場合には、設定指示を表示部１ｃ１に表示して出力するか、または、設定指示をプロジェクター２に出力する。【０１０８】
この場合、表示部１ｃ１を介して設定指示をユーザに知らせたり、設定指示をプロジェクターに出力してプロジェクターに設定指示に応じた設定を行わせたりすることが可能になる。【０１０９】
本実施形態では、制御部１ｃ２は、プロジェクター２が接続条件を満たしていない場合には、プロジェクター２を情報処理装置１と接続し、かつ、プロジェクター２のスタンバイ電源をオンにするための設定を行う旨の接続設定指示を、表示部１ｃ１に表示する。【０１１０】
この場合、ユーザは、表示部１ｃ１に表示された接続設定指示を見ながら設定作業を行うことができる。よって、ユーザが行う設定作業を支援することが可能になる。【０１１１】
本実施形態では、制御部１ｃ２は、プロジェクター２が投写条件を満たしていない場合には、光を投写する設定を行う旨の投写設定指示を、プロジェクター２に出力する。【０１１２】
この場合、ユーザは、プロジェクターが光を投写するようにするための設定を行う必要がなくなり、ユーザの負担を軽減することが可能になる。【０１１３】
本実施形態では、制御部１ｃ２は、プロジェクター２が端子条件を満たしていない場合には、接続入力端子を選択入力端子として選択する設定を行う旨の端子設定指示を、プロジェクター２に出力する。【０１１４】
この場合、ユーザは、接続入力端子を選択入力端子として選択する設定を行う必要がなくなり、ユーザの負担が軽減される。【０１１５】
本実施形態では、制御部１ｃ２は、プロジェクター２が映像信号条件を満たしていない場合には、情報処理装置１が映像信号を選択入力端子に出力する状態に情報処理装置１を設定する旨の出力設定指示を、表示部１ｃ１に表示する。【０１１６】
この場合、ユーザは、表示部１ｃ１に表示された出力設定指示を見ながら設定作業を行うことができる。よって、ユーザが行う設定作業を支援することが可能になる。【０１１７】
本実施形態では、制御部１ｃ２は、情報処理装置として用いることができるコンピュータの種別ごとに、コンピュータの種別名（例えば、コンピュータのメーカ名）と、コンピュータが映像信号を選択入力端子に出力する状態にコンピュータを設定する手順を示した手順情報とを、表示部１ｃ１に表示する。【０１１８】
この場合、ユーザは、表示部１ｃ１に表示された手順情報の中から、情報処理装置１の種別に対応する手順情報を探し出し、その探し出された手順情報を見ながら設定作業を行うことができる。よって、ユーザが行う設定作業を支援することが可能になる。【０１１９】
例えば、コンピュータが映像信号を選択入力端子に出力する状態にコンピュータを設定する手順は、ノートパソコンでは、ノートパソコンメーカごとに異なっている。本実施形態では、ユーザは、使用するノートパソコンがどのような操作方法になっているのか知らなくても、手順情報を見ながら、コンピュータが映像信号を選択入力端子に出力する状態にコンピュータを設定することが可能になる。【０１２０】
なお、制御部１ｃ２は、情報処理装置１が映像信号を選択入力端子に出力する状態に情報処理装置１を設定する手順を示した手順情報を、表示部１ｃ１に表示する場合、ユーザは、表示部１ｃ１に表示された手順情報の中から、情報処理装置１の種別に対応する手順情報を探し出す作業を行わなくて済み、ユーザの負担をより軽減することが可能になる。【０１２１】
以上、実施形態を参照して本願発明を説明したが、本願発明は上記実施形態に限定されるものではない。本願発明の構成や詳細には、本願発明のスコープ内で当業者が理解し得る様々な変更をすることができる。
【図１】
2010116446.tif 000003
【図２】
2010116446.tif 000004
【図３】
2010116446.tif 000005
【図４】
2010116446.tif 000006
【図５】
2010116446.tif 000007
【図６】
2010116446.tif 000008
【図７】
2010116446.tif 000009
【図８】
2010116446.tif 000010
【図９】
2010116446.tif 000011
【図１０】
2010116446.tif 000012
【図１１】
2010116446.tif 000013
【図１２】
2010116446.tif 000014
【手続補正書】
【提出日】平成23年8月1日(2011.8.1)
【手続補正１】
【補正対象書類名】特許請求の範囲
【補正対象項目名】全文
【補正方法】変更
【補正の内容】
【特許請求の範囲】
【請求項１】
プロジェクターに映像信号を出力可能な情報処理装置であって、
前記映像信号を出力する映像信号出力手段と、
前記プロジェクターが前記映像信号出力手段から出力された映像信号に応じた映像を投写するために必要な条件を格納する格納手段と、
前記プロジェクターに前記格納手段内の条件に関する問合せを出力し、当該問合せに対する応答に基づいて、前記プロジェクターが前記条件を満たしているか否かを検出し、前記プロジェクターが前記条件を満たしていない場合には、前記条件を満たすための設定を行う旨の設定指示を出力する設定指示出力手段と、を含む情報処理装置。
【請求項２】
プロジェクターに映像信号を出力可能な情報処理装置が行う作業支援方法であって、
前記プロジェクターが前記映像信号に応じた映像を投写するために必要な条件を格納手段に格納し、
前記プロジェクターに前記格納手段内の条件に関する問合せを出力し、当該問合せに対する応答に基づいて、前記プロジェクターが前記条件を満たしているか否かを検出し、
前記プロジェクターが前記条件を満たしていない場合には、前記条件を満たすための設定を行う旨の設定指示を出力する、作業支援方法。
【請求項３】
前記設定指示を出力することは、前記プロジェクターが前記条件を満たしていない場合には、前記設定指示を表示手段に表示して出力するか、または、前記設定指示を前記プロジェクターに出力することを含む、請求項２に記載の作業支援方法。
【請求項４】
前記条件は、前記プロジェクターが有する入力端子のうち、前記映像信号を受け付けるために前記情報処理装置と接続された接続入力端子が、前記映像を形成するための映像信号を受け付ける選択入力端子として選択されていることを示す端子条件を含むものであり、
前記設定指示を出力することは、前記プロジェクターが前記端子条件を満たしていない場合には、前記接続入力端子を前記選択入力端子として選択するための設定を行う旨の端子設定指示を、前記設定指示として、前記プロジェクターに出力することを含む、請求項３に記載の作業支援方法。
【請求項５】
前記条件は、前記プロジェクターが前記情報処理装置と接続され、かつ、前記プロジェクターのスタンバイ電源がオンとなっていることを示す接続条件を含むものであり、
前記設定指示を出力することは、前記プロジェクターが前記接続条件を満たしていない場合には、前記プロジェクターを前記情報処理装置と接続し、かつ、前記プロジェクターのスタンバイ電源をオンにするための設定を行う旨の接続設定指示を、前記設定指示として、前記表示手段に表示することを含む、請求項３または４に記載の作業支援方法。
【請求項６】
前記条件は、前記プロジェクターが光を投写していることを示す投写条件を含むものであり、
前記設定指示を出力することは、前記プロジェクターが前記投写条件を満たしていない場合には、光を投写するための設定を行う旨の投写設定指示を、前記設定指示として、前記プロジェクターに出力することを含む、請求項３から５のいずれか１項に記載の作業支援方法。
【請求項７】
前記条件は、前記選択入力端子が前記情報処理装置から前記映像信号を受け付けていることを示す映像信号条件を含むものであり、
前記設定指示を出力することは、前記プロジェクターが前記映像信号条件を満たしていない場合には、前記情報処理装置が前記映像信号を前記選択入力端子に出力する状態にする設定を行う旨の出力設定指示を、前記設定指示として、前記表示手段に表示することを含む、請求項４に記載の作業支援方法。
【請求項８】
前記設定指示を出力することは、前記情報処理装置として用いることができるコンピュータの種別ごとに、当該コンピュータの種別名と、当該コンピュータが前記映像信号を前記選択入力端子に出力する状態に設定する手順を示した手順情報とを、前記出力設定指示として、前記表示手段に表示することを含む、請求項７に記載の作業支援方法。
【請求項９】
前記設定指示を出力することは、前記情報処理装置が前記映像信号を前記選択入力端子に出力する状態に設定する手順を示した手順情報を、前記出力設定指示として、前記表示手段に表示することを含む、請求項７に記載の作業支援方法。
【請求項１０】
プロジェクターに映像信号を出力可能なコンピュータに、
前記プロジェクターが前記映像信号に応じた映像を投写するために必要な条件を格納手段に格納する格納手順と、
前記プロジェクターに前記格納手段内の条件に関する問合せを出力し、当該問合せに対する応答に基づいて、前記プロジェクターが前記格納手段内の条件を満たしているか否かを検出する検出手順と、
前記プロジェクターが前記条件を満たしていない場合には、前記条件を満たすための設定を行う旨の設定指示を出力する設定指示出力手順と、を実行させるためのプログラム。
【国際調査報告】
2010116446.tif 000015
2010116446.tif 000016
2010116446.tif 000017
2010116446.tif 000018
2010116446.tif 000019
2010116446.tif 000020
2010116446.tif 000021
2010116446.tif 000022